(57)【要約】本発明は、部分的に結合した複数の可撓性の伸長要素（１０）からなる、スポーツ設備等に用いる発光性ネットに関し、この発光性ネットは、前記可撓性の要素の少なくとも一部（１０）が発光性であり、該少なくとも一部の要素（１０）はそれぞれ、光に対して透明な、合成材料からなる伸長鞘部（１００）と、前記伸長鞘部（１００）内で少なくとも１本の線状に分散した一組の発光性の要素（１０２）と、前記鞘部（１００）内に配置され、該鞘部（１００）の長さ全体にわたって伸び、引張り強さを前記可撓性の要素（１０）に伝えることが可能で、かつ前記鞘部における長さが該鞘部の長さと等しい可撓性補強ケーブル（１０１）とを備えることを特徴とする。
2014507204.tif 000002
【特許請求の範囲】
【請求項１】
部分的に結合した複数の可撓性の伸長要素（１０）からなる、スポーツ設備等に用いる発光性ネットであって、前記可撓性の要素の少なくとも一部（１０）が発光性であり、該少なくとも一部の要素（１０）はそれぞれ、
光に対して透明な、合成材料からなる伸長鞘部（１００）と、
前記伸長鞘部（１００）内で少なくとも１本の線状に分散した一組の発光性の要素（１０２）と、
前記鞘部（１００）内に配置され、該鞘部（１００）の長さ全体にわたって伸び、引張り強さを前記可撓性の要素（１０）に伝えることが可能で、かつ前記鞘部における長さが該鞘部の長さと等しい可撓性補強ケーブル（１０１）とを備えることを特徴とする発光性ネット。
【請求項２】
請求項１のネットにおいて、前記発光性の要素（１０２）は電流が通過したときに発光可能であり、前記要素（１０２）は、前記鞘部（１００）内に設置されかつ制御手段（１０４）を介して電源に接続した複数の導電体（１０５）によって電源を供給されることを特徴とするネット。
【請求項３】
前述の請求項のネットにおいて、前記発光性の要素（１０２）は電界発光ダイオードであることを特徴とするネット。
【請求項４】
前述の請求項のネットにおいて、前記電界発光ダイオード（１０２）はアドレス指定が可能であり、前記鞘部（１００）は、前記ダイオード（１０２）に電気的に接続した制御バスもさらに収容することを特徴とするネット。
【請求項５】
前述の請求項のネットにおいて、前記各ダイオード（１０２）は、該ダイオード（１０２）を制御するための手段を構成する、電源用、制御用及び管理用の電気部品（１０４）を内蔵する平坦な支持部（１０３）に搭載されることを特徴とするネット。
【請求項６】
前述の請求項のネットにおいて、複数の前記平坦な支持部（１０３）が等間隔で配置され、該平坦な支持部（１０３）が備える前記電源用、制御用及び管理用の前記電気部品が、制御用導電体及び電源用の導電体により連続して電気的に結合し、前記複数の平坦な支持部（１０３）は前記補強ケーブル（１０１）に固定され、２つの連続する前記平坦な支持部（１０３）の間で、前記制御及び管理用電線及び電源用電線はそれぞれ鞘部（１００）において曲線を形成することを特徴とするネット。
【請求項７】
前述の請求項のネットにおいて、前記平坦な支持部（１０３）は多層プリント回路で構成されることを特徴とするネット。
【請求項８】
請求項５〜７のいずれかの請求項のネットにおいて、前記支持部（１０３）のそれぞれは、共同して動作する２つの対向するダイオード（１０２）を収容することを特徴とするネット。
【請求項９】
前述の請求項のうちのいずれかの請求項のネットにおいて、前記補強ケーブル（１０１）及び前記発光性の要素（１０２）は鞘部（１００）の前記材料に埋め込まれ、前記鞘部は可撓性があり、前記発光性の要素の周りに押し出されることによって形成されることを特徴とするネット。
【請求項１０】
前述の請求項のうちのいずれかの請求項のネットにおいて、各ダイオード（１０２）において、前記発光性の伸長要素（１０）のそれぞれの前記鞘部（１００）は、光の拡散効果を得るために被覆されていることを特徴とするネット。
【請求項１１】
前述の請求項のうちのいずれかの請求項のネットにおいて、前記伸長要素（１０）は、取付手段によって結合部で互いに固定されていることを特徴とするネット。
【請求項１２】
前述の請求項のネットにおいて、各取付手段は、中間結合表面に沿って互いに結合する２つの半殻状部材（２００）で構成された交差部材（２）からなることを特徴とするネット。
【請求項１３】
前述の請求項のネットにおいて、各交差部材（２）は、発光性の伸長要素（１０）をそれぞれ収容可能な２つの対向する屈曲したスリーブ（２０）を形成することを特徴とするネット。
【請求項１４】
請求項１１のネットにおいて、前記取付手段は把持部材からなることを特徴とするネット。
【請求項１５】
請求項１１のネットにおいて、前記取付手段は接着点からなることを特徴とするネット。
【請求項１６】
前述の請求項のうちのいずれかの請求項のネットにおいて、各発光性の伸長要素（１０）は波形（１５０）を形成することを特徴とするネット。
【請求項１７】
前述の請求項のうちのいずれかの請求項のネットにおいて、各発光性の伸長要素（１０）は、複数の要素（１０）に共通の分配ハーネスに接続し、該ハーネスは、適切なコネクタによって、いわゆる発光性の伸長要素（１０）の電源バス（１０５）及び制御バス（１０６）にそれぞれ接続する電源バス及び制御バスを示すことを特徴とするネット。
【請求項１８】
競技用コート用のスポーツ設備であって、取付構造物（５）と、前述の請求項のうちのいずれかの請求項のネット（１）とからなり、前記取付構造物に固定されたことを特徴とするスポーツ設備。
【請求項１９】
前述の請求項のスポーツ設備であって、前記取付構造物（５）は、発光性の伸長モジュール（１０）が中に配置された長手方向の筐体（５２）を備えることを特徴とするスポーツ設備。
【発明の詳細な説明】
【技術分野】
【０００１】
本発明は、屋外又は室内スポーツに用いる設備に関し、特に、ネット及び本発明によるネットを備えた、ゴール又はバスケット等の１組のスポーツ設備に関する。本発明はまた、文字及び／又はアイコンで発光メッセージを表示するのに用いる材料にも関する。
【背景技術】
【０００２】
多数のボール、サッカーボール又はパックゲームが、競技用コートを中心線で区切るか又は取付構造物と組み合わせてゴールを作るために、ネットを使用している。例えばある場合は、２つの垂直な端柱の間にネットを垂直に張っている。別の場合では、ネットを取付構造物に固定し、その構造物の後ろにボールやパックを保持するポケットを設けている。
【０００３】
また、円形の取付構造物からネットを吊り下げてもよく、ボールやサッカーボールが中を通るチューブ状にネットを配置してもよい。
【０００４】
球技の魅力を増すために、従来技術では得点したときにスポーツ設備を発光させることを提案している。このようにして、あるいくつかの設備は、１組のＬＥＤ電球をネットの取付構造物と組み合わせている。このような構造は、特に国際公開公報第ＷＯ２００７００６８２６号に開示されている。別の設備では、ガーランド状の発光源をネットと直接組み合わせている。このような構造は、特に米国特許第５２８０９０４号に開示されている。
【０００５】
また、情報的なデザインにおいてネットを使用することも知られている。このようなネットは、特に米国特許第６９６９１８５号で示されている。
【発明の概要】
【０００６】
現在の技術分野における解決方法では、既存の材料に発光ユニットを備えるにはコストがかかることがわかる。
【０００７】
本発明の目的は、特にこの問題を解決することである。
【０００８】
この目的のため、本発明は主に、部分的に互いに結合した可撓性の伸長要素からなる、スポーツ設備等に用いる発光性ネットに関する。このネットは、可撓性の要素の少なくとも一部が発光性であり、それぞれ、光に対して透明な材料からなる鞘部と、鞘部内で少なくとも１本の線状に分散した一組の発光性の要素と、鞘部内に配置され、鞘部の長さ全体にわたって伸び、引張り強さを前記可撓性の伸長要素に伝えることが可能で、かつ鞘部における長さが鞘部の長さと等しい可撓性補強ケーブルとを備えることを主に特徴とする。
【０００９】
そのような配列により、発光性の可撓性伸長要素はネットと一体化することができ、ネットのコストを低減できる。各発光性の伸長要素が有する補強ケーブルは、サッカーボール、ボール又は競技者がネットへ与える衝撃により生じる引張り力に対する抵抗を伸長要素に伝え、それにより、透明な鞘部をあらゆる損傷から保護し、発光性の要素を衝撃や悪天候から確実に保護する。
【００１０】
発光性の要素は、燐光性のペレット等からなってもよいが、発光を制御するために、又は得点したとき等試合の特定の局面において発光を開始するために、電流が通過したときに光信号を出力することができるタイプであることが好ましい。これらの発光性の要素は、鞘部に設置された、鞘部の外部又は内部にある電源に接続したいくつかの導電体である電源バスにより電源を供給される。さらに、発光性の要素は鞘部内に設けられた制御バスにも接続している。
【００１１】
消費電源を低減するために、本発明の別の形態による各発光性の要素は、電界発光ダイオードからなることが有利である。このタイプの構成要素はさらに、電球よりも衝撃に対して抵抗があり、コストも低減できるという長所がある。
【００１２】
発光効果をさらに確実に制御するために、電界発光ダイオードをアドレス指定可能にし、制御手段により鞘部内の制御バスに接続する。このようにして、特定の発光を発生するために、予め定めた順序に従って各ダイオードに互いに独立して電源を供給できる。
【００１３】
本発明の別の配列による制御バスは、適切なソフトウェアを内蔵する命令及び制御ユニットによって、電線接続又は無線リンクを介して遠隔制御される。このユニットのおかげで、ネット上で表示する発光性の画像又は、これらに限定するものではないが、情報的又は宣伝のための文字を生成することができ、これらのメッセージは表示している間は静止しているか又はスクロールしている。
【００１４】
本発明の別の配列によると、発光性の要素と、補強ケーブルと、制御及び電源バスとが鞘部の材料に埋め込まれ、鞘部はこれらの発光性の要素の周りに押し出されることによって形成される。この配列の性質によって、別々の構成要素が鞘部の全ての面で保持され、互いに適切な位置関係で固定される。
【００１５】
本発明の別の配列によると、各ダイオードは、このダイオードを制御するための手段を構成する、電源用、制御用及び管理用の電気部品を内蔵する平坦な支持部に搭載される。
【００１６】
本発明の別の配列によると、複数の平坦な支持部が等間隔で配置され、それら平坦な支持部が備える制御及び管理手段が、制御用導電体及び電源用の導電体により連続して電気的に結合し、複数の平坦な支持部はケーブルに固定され、２つの連続する平坦な支持部の間で、制御及び管理用電線及び電源用電線はそれぞれ鞘部において曲線を形成する。各電線が形成する曲線によって、長さにゆとりができ、鞘部が引っ張られた際に破断してばらばらになることを防ぐ。したがって、ケーブルと鞘部のみが引張り力を吸収する。
【００１７】
本発明の別の配列によると、平坦な支持部は多層プリント回路で構成される。このような配列により、鞘部に入りやすくなるように平坦な支持部の寸法が縮小される。さらに、多層化技術により、プリント回路における配線のジュール効果により破損することなく、平坦な支持部に対応した複数の電気部品に電力を最適に分配することができる。
【００１８】
本発明の別の配列によると、各ダイオードにおいて、鞘部は光の拡散効果を得るために被覆されている。
【００１９】
本発明のさらに別の配列によると、各平坦な支持部が有する電源用、制御用及び管理用の電気部品は、ダイオードの電源キャパシタをチョッピングすることにより充電でき、入力端子における電圧を測定することでチョッピング周波数を判定することができるアクティブ電源を内蔵する。
【００２０】
本発明の別の配列によると、発光性の伸長要素は、取付手段によって結合部で互いに固定されていることが有利である。これらの取付手段は、互いに関連した位置に伸長要素を固定し、ネットの網目状構造を形成する機能を有する。
【００２１】
本発明の別の配列によると、ネットの発光性の各伸長要素は波形を形成する。この配列により、網目状構造を確実に形成しつつ、発光性の伸長要素を同一平面上に配列することができる。
【００２２】
本発明はまた、取付構造物及び、この取付構造物に固定した本発明によるネットを備えるスポーツ設備にも関する。
【図面の簡単な説明】
【００２３】
本発明の他の効果、目的及び特徴は、添付する図面を参照しながら、本発明を限定しない好ましい実施形態の説明を読むことで明らかになるであろう。
【図１】図１は、第１の実施形態による発光性の要素の正面図である。
【図２】図２は、図１の発光性の要素からなるネットの正面図である。
【図３】図３は、第２の実施形態による発光性の要素の正面図である。
【図４】図４は、図３の発光性の要素からなるネットの図である。
【図５】図５は、第３の実施形態による発光性の要素の正面図である。
【図６】図６は、図５の発光性の要素からなるネットの図である。
【図７】図７は、ネットを構成する発光性の伸長要素の、直線の断面に沿った切り欠き図である。
【図８】図８は、交差部材の平面図である。
【図９】図９は、図８の交差部材を構成する２つの半殻状部材のうちの１つを示す図である。
【図１０】図１０は、把持型の取付手段を示す図である。
【図１１】図１１は、本発明によるネットを備えるゴールタイプのスポーツ設備の正面図である。
【図１２】図１２は、図１０のゴールを備える取付構造物の柱又は横材の直線の断面図である。
【発明を実施するための形態】
【００２４】
図２、図４及び図６は、本発明のネット１を示す。このネット１は、一部又は全てが発光する、部分的に結合したいくつかの可撓性の伸長要素１０を組み合わせてなる。各伸長要素１０は、直線状又は他の形状の規則的な波形１５０であってもよい。
【００２５】
図１、図３及び図５は、可撓性で波形の発光性伸長要素の３つの実施形態を示し、これらの要素は一続きの山と谷の形状を有する。この波形は、発光性の伸長要素を折りたたむことで形成される。図１において、各発光性の伸長要素を形成する波形は三角形であるのに対し、図３では、各発光性の伸長要素１０を形成する波形は四角形である。図５においては、波形は直角である。
【００２６】
図２、図４及び図６に示すように、発光性の伸長要素１０は互いに平行で同一平面上にあり、部分的に互いに接触する等間隔の列である。図１に示す三角形の波形を形成する発光性の伸長要素１０からなるネットにおいて、各要素は隣接する各要素に対して長手方向にずれる。したがって、各発光性の伸長要素１０が構成する空洞部は、各隣接した発光性の伸長要素が構成する空洞部と対向して位置する。この構成により、ネットの網目状構造が形成され、この網目状構造は、正方形又は菱形である多角形の輪郭を示している。正方形又は長方形の波形（図４）を示す伸長要素１０からなるネットは、発光性の伸長要素１０の間に長手方向のずれが生じない。この配列によると、形成された各網目は、波形で区画された空洞部にそれぞれ対応する。図６に示すネットでは、各発光性の伸長要素１０は階段状の配列を有している。
【００２７】
発光性の伸長要素１０同士の各接触点に、後で述べる取付手段が設けられ、それによりネットの網目状構造を確実に形成する。
【００２８】
先に述べた実施形態において、発光性の伸長要素１０は、同一平面上にあり波形である。別の実施形態では、伸長要素１０は実質的に直線状であり行列状に配置されている。この行列は、互いに斜めになっているか又は垂直である。第１の変形例では、行列は交差し、第２の変形例では、行は第１の面に沿って配置され、列は第２の面に沿って配置されている。行と列は部分的に結合可能であり、行と列の間の接触点に取付手段が設けられる。
【００２９】
図５は、直線状の断面における発光性の伸長要素１０を示す。この伸長要素１０は、可撓性で、光に対して透明であり、悪天候や太陽光による経年劣化に対して耐性がある合成材料で構成される鞘部１００からなる。鞘部１００において、弾性膨張に耐えることができ、それにより鞘部に引張り強さを伝えることができる補強ケーブル１０１を伸長要素に設ける。このケーブル１０１は可撓性であり、引張り力によって鞘部が伸びることを最小限に抑える。このケーブルは、例えば「ＫＥＶＬＡＲ」という商標名で知られる合成材料からなると有利である。補強ケーブル１０１は、鞘部１００内において鞘部１００の長さ方向に伸びる。鞘部におけるケーブルの長さは鞘部の長さと等しい。このようにして、ケーブルの長さは鞘部において余らない。
【００３０】
また、鞘部１００は、制御バス１０６だけでなく電源バス１０５にも接続した、好ましくはアドレス指定可能な電界発光ダイオードからなる複数の発光性の要素１０２も有する。電源バスは、好ましくは鞘部１００の外部の、電源に接続されている。制御バス１０６は、従来技術で既知の制御ユニットに接続されている。
【００３１】
各ダイオード１０２は平坦な支持部１０３に設けられると有利であり、その平坦な支持部１０３は、電源用、制御用及び管理用の多層プリント回路搭載素子１０４からなり、かつ制御手段を構成し、ダイオードを制御する、つまりダイオードに電流を流したり止めたりし、ダイオードの色を制御するために設けられている。
【００３２】
このようにして、平坦な支持部１０３、ダイオード１０２及び制御素子１０４は、電源バス１０５及び制御バス１０６によって、隣接する発光性のモジュールに接続する、アドレス指定可能な発光性のモジュール１１０を構成する。
【００３３】
好ましくは、電源素子はチョッピング型であり、ダイオードに給電するためのキャパシタと電気的に関連している。この電源素子は、端子における入力電圧の機能としてチョッピング周波数を制御することができる。このようにして、電力損失が考慮される。
【００３４】
発光を確実に最適化するために、各支持部１０３は、共同して動作する２つの対向するダイオードを支えると有利である。
【００３５】
発光性のモジュール１１０は、互いに等しい距離に配置され、平坦な支持部１０３によってケーブル１０１に固定されている。好ましくは、各モジュールの平坦な支持部１０３は、接着点又は別の手段によってケーブルに固定される。２つの隣接するモジュールの間に、電源バスの電線１０５と制御バスの電線１０６とが伸びている。これらが破損するのを防ぐために、電線１０６は曲線状に伸びている。したがって、鞘部におけるケーブルは伸びるが、制御バス及び電源バスの電線は伸びることがない。
【００３６】
好ましい実施形態によると、補強ケーブル、発光性のモジュール１１０、電源バス１０５及び制御バス１０６は、鞘部１００を構成する材料に埋め込まれ、鞘部はこれらの構成要素の周りに押し出されることにより形成される。したがって、鞘部の材料は本質的に、ケーブル１０１と、鞘部内の固定位置にケーブル１０１を確実に保持する様々な電気部品との両方と接触する。鞘部内のケーブルの接着力を強めるために、鞘部は例えばわずかに捻じれるなどして節を有することができる。
【００３７】
さらに発光を確実に最適化するために、各ダイオードにおいて、光を円状に拡散する効果を生じるために、鞘部がわずかに被覆されていてもよい。押し出し等の間に適切な材料を注入するか、他の別の適切な手段によって、鞘部を覆うことができる。
【００３８】
ネット１を構成する各発光性の伸長要素１０は、様々な要素１０に共通の分配ハーネスに接続し、このハーネスにより、各発光性の伸長要素１０の電源バス１０５及び制御バス１０６が適切なコネクタによって電源バス及び制御バスにそれぞれ接続すると有利である。
【００３９】
電界発光ダイオード、及びより正確には対応するモジュールをアドレス指定できることにより、それらを個別に設けることができ、ネット上の位置を特定できる。したがって、ダイオードの位置は、例えばデカルト座標系における各アドレスに対応し、ダイオードは平行線及び垂直列に沿って配置される。
【００４０】
制御バスは、適切なソフトウェアを内蔵する命令及び制御ユニットによって、電線接続又は無線リンクを介して遠隔制御される。これらの配列の性質によって、文字及び／又は静止画又は動画である画像として、静止した又はスクロールするメッセージを表示する表示スクリーンをネットを用いて形成することができる。
【００４１】
図８及び図９は、取付手段のある実施形態を示す。本実施形態によると、この取付手段は、光に対して透明な材料からなる交差部材２の形状をしている。
【００４２】
これらの図に示すように、この交差部材２により、同じ対角線上に並んだ２つの網目状構造が機械的に接続し、互いに隣り合う２つの可撓性の伸長要素１０をそれぞれ挿入する、屈曲した２つの対向する管状のスリーブ２０を形成する。屈曲した各スリーブは、網目の角の１つを構成する。
【００４３】
好ましくは、搭載を容易にするために、各交差部材２は、中間結合表面に沿って互いに結合する、２つの半殻状部材２００からなる。
【００４４】
別の実施形態においては、各取付手段は、把持部材（図１０）、つまり２つの発光性の伸長要素の周りに設けられた可撓の節を形成する接続部からなる。また、図２、図４及び図６に示すように、発光性の伸長要素は接着点によって互いに接続している。
【００４５】
図１１は、本発明によるネット１を備え、球技又はサッカーのゴールを構成するスポーツ設備を示す。このゴールは、２つの垂直な柱５０と水平な上側横材５１とで構成された四角形の運搬可能な堅い構造物５を備える。
【００４６】
本発明によるネット１が上記構造物５の角に固定され、この構造物の後方にボール又はサッカーボールを保持するためのポケットが形成される。この取付構造物には、複数の発光性の伸長モジュール１１０が設置された複数の長手方向の筐体５２が設けられている。
【００４７】
図１２に示すように、構造物の柱及び／又は横材には溝が設けられ、複数の溝５２に、上述したような発光性の伸長要素１１０が収容されると有利である。これらの伸長要素１０は常に電源バス及び制御バスと対応している。形成された溝５２は、光に対して透明な材料からなる保護カバー５３で覆われている。
【００４８】
好ましくは、取付構造物の少なくとも１つの要素（柱５０又は横材５１）に、上述した分配ハーネスを設けてもよい。
【００４９】
取付構造物５の柱５０は、様々なモジュール１１０の電源を構成する１組の電池５４を適切なハウジングに収容すると有利である。
【００５０】
ここに述べたスポーツ設備はゴールに限定されず、バスケットボールの試合で用いるバスケットであってもよい。また、例えば、テニス、バレーボール等で用いる競技用コートを分割する柵としても形成できる。図示する例では、スポーツ設備の取付構造物は、互いに分離した２つの垂直な柱によって形成され、これら２つの柱の間にケーブルが伸びており、このケーブルからネット１が吊り下げられている。
【００５１】
同様に、ネットの用途はスポーツ設備に限らず、本発明のネットは宣伝用のメッセージ等の表示にも用いることができる。
【００５２】
当然ながら、本発明は、以下の請求項で定義されるような発明の範囲を超えることなく、技術的に同等な分野におけるあらゆる配列及び変更も含む。
【図１】
2014507204.tif 000003
【図２】
2014507204.tif 000004
【図３】
2014507204.tif 000005
【図４】
2014507204.tif 000006
【図５】
2014507204.tif 000007
【図６】
2014507204.tif 000008
【図７】
2014507204.tif 000009
【図８】
2014507204.tif 000010
【図９】
2014507204.tif 000011
【図１０】
2014507204.tif 000012
【図１１】
2014507204.tif 000013
【図１２】
2014507204.tif 000014
【国際調査報告】
2014507204.tif 000015
2014507204.tif 000016
2014507204.tif 000017
2014507204.tif 000018
2014507204.tif 000019
2014507204.tif 000020